(57)【要約】【課題】警報を発している際の位置を特定しやすくする。【解決手段】自転車などに取り付けて、「すいません、ちょっとお通しください」などのマナーに沿った言葉をスピーカー６から警報音として出力する音声警報装置に、スピーカー６の出力に連携して点灯する発光手段８を備える。こうすることで、スピーカー６の音声出力に連携して発光手段８が目印として点灯するので、警報を発している位置を特定しやすい。例えば、振り返った場合でも瞬時に目視でも確認できるので、歩行者に気持ち良く好感をもって道を譲ってもらえる。【選択図】図２
0003112504.tif 000002
【実用新案登録請求の範囲】
【請求項１】
音声データを記憶させたメモリ手段と、
前記メモリ手段に記憶させた音声データを音声信号に変換する再生手段と、
前記再生手段の変換した音声信号を出力するスピーカーと、
そのスピーカーの出力に連携して点灯する発光手段と、
前記再生手段と発光手段のオン・オフをするスイッチ手段とを収容するケースと、
前記ケースを棒体に係止する取付け手段とを備えた音声警報装置。
【請求項２】
上記ケースを小鳥の形状に似せて形成した請求項１に記載の音声警報装置。
【考案の詳細な説明】
【技術分野】
【０００１】
この考案は、自転車、車椅子、バギー、ベビーカーなどの低速な乗り物あるいは、松葉杖、手押しカートなどの介助器具などに取り付けて、例えば道を譲ってもらう際などに使用する音声警報装置に関するものである。
【背景技術】
【０００２】
例えば、自転車などで走行中に歩行者に道を譲ってもらいたいときがある。そんなとき、急にベルやブザーを鳴らすと、ビックリさせていやな顔をされたり、押しつけがましくて怒鳴られたりすることが多々ある。また、ベルやブザーの代わりにマナーに沿った言葉をかけるのも気が引けるものである。そのため、ついベル鳴らしたり、言葉をかけたりすのが億劫になり、無理をして横をすり抜けようとして歩行者に追突したり、接触したりする事故を起こしてしまう。これは、特に、か弱い婦女子や老人あるいは介助を必要とする人にとっては深刻な問題である。
【０００３】
この問題を解決する一つの方法として、（特許文献１）に音声を発する自転車用のクラクションが記載されている。
【０００４】
このクラクションは、自転車のハンドルなどに取り付けておき、スイッチを入れると、「すみませーん」、「失礼します」、「ごめんなさーい」、「おじゃまします」などの音声を発するようにしたものである。
【特許文献１】特開平８−９９６６１号公報
【考案の開示】
【考案が解決しようとする課題】
【０００５】
しかしながら、上記の音声だけのクラクションでは、瞬時に位置が把握できない問題がある。
【０００６】
すなわち、例えば、歩行者の後方から近づいて警報を発する場合などでは、音声だけでは振り返っても直ぐに方向が特定しづらい。特に、混雑している場所では、さまざまな音が交錯しているので、音声だけでは方向の特定をし難く、うまく避けてもらえない問題がある。
【０００７】
そこで、この考案の課題は、警報を発している位置を特定しやすくすることである。
【課題を解決するための手段】
【０００８】
上記の課題を解決するため、この考案では、スピーカーの出力に連携して点灯する発光手段を備えた構成を採用したのである。
【０００９】
このような構成を採用することにより、スピーカーの音声出力に連携して目印として発光手段が点灯するので位置を認識しやすい。例えば、振り返った場合でも瞬時に目視でも確認できる。
【００１０】
このとき、ケースを小鳥の形状に似せて形成すれば、使わないときはアクセサリーとしても利用できる。
【考案の効果】
【００１１】
この考案は、以上のように構成したことにより、警報を発している位置が容易に確認できるので、うまく避けてもらえる。
【考案を実施するための最良の形態】
【００１２】
以下、この考案の最良の形態を図面に基づいて説明する。
【００１３】
図１に示すように、この形態の警報装置は、小鳥の形状に似せて形成したケース１と、前記ケース１を棒体１３に係止する取り付け手段２とで構成されている。
【００１４】
前記ケース１は、上部ケース３と下部ケース４とからなり、図２（ａ）、（ｂ）のように、内部に回路基板５、スピーカー６、発光手段８、オン・オフスイッチ９、ボリューム１０及び電池ボックス１１を備えている。
【００１５】
回路基板５は、図示はしていないが、メモリ手段と再生手段を搭載している。メモリ手段は、ＲＯＭメモリに例えば、量子化した音声メッセージを記憶させたものである。前記音声メッセージは、例えば、「ピーン、ポーン、ピーン、ポーン」または、「ピピーン、ボボーン  ピピーン、ボボーン」などの警報音に続いて、「すみませんが・・・チョットお通し下さい」といった道を譲ってもらうときのマナーに沿った言葉である。
【００１６】
なお、ＲＯＭメモリには、音声メッセージを量子化して記憶させる以外に、音声ファイル（例えは、ＷＡＶＥやｍｐ３などのファイル形式）を記憶させるようにしても良い。この場合は、後述の再生手段には前記ファイルをエンコードできるものを採用する。
【００１７】
再生手段は、メモリ手段が記憶したデータをオン・オフスイッチの作動で読み出してデコードし、音声信号に変換して増幅回路を介してスピーカー６から出力する。その際、スピーカー６からの出力音量をボリューム１０で調整できるようにしてある。ちなみに、この形態では、前記オン・オフスイッチ９は図２（ａ）のようなレバー様のスイッチを用いて尻尾に似せてある。また、ボリューム１０は、摘まみを小鳥の頭頂の帽子に似せて設けてある。このようにスイッチ類をカムフラージュすることにより、小鳥に似せたケース１に違和感を生じないようにしてある。
【００１８】
なお、メモリ手段と再生手段は音声合成用のＩＣやＣＰＵなどで構成するようにしてもよい。
【００１９】
発光手段８は、この形態では、ＬＥＤ素子を用いており、前記ＬＥＤを小鳥の目の部分に取り付けている。また、前記ＬＥＤは、例えばトランジスタやドライブＩＣなどによるドライブ回路を介してオン・オフスイッチ９と接続することにより、オン・オフスイッチ９の作動でスピーカー６の出力に連携して点灯できるようにしてある。このとき、例えば、前記ドライブ回路を発振回路で構成すれば、スピーカー６の出力に連携して点滅させることもできる。このようにすれば、より目立ちやすくできる。
【００２０】
電池ボックス１１は、例えば、この形態では単５型の乾電池を三本収容できる大きさのもので、小型の電池を使用することで全体がコンパクトになるようにしてある。また、電池は、図１のように背中部分に設けた蓋１２を開けて取り付ける。
【００２１】
取り付け手段２は、図１のような一端を係合させた二枚の金属片の間に棒状体（例えば自転車のハンドルなど）１３を挟み、他端をボルトとナットを使って締めるようにしたブラケットで、径の大きさの異なる棒状体１３にもボルトの長さを変えることで対処できるものである。この取り付け手段２は、図１のようにＬ型の金具でケース１と固定する。
【００２２】
この形態は、上記のように構成されており、この警報装置は、取り付け手段２を用いて、自転車、車椅子、バギー、ベビーカーなどの低速な乗り物あるいは、松葉杖、手押しカートなどの介助器具などのパイプの部分に取り付ける。その際、ボルトの締めつけ量を変えたり、長さの違うボルトを使用することにより、パイプ径の大小にも対応できる。
【００２３】
次に、電池ボックス１１に電池を入れ、ボリューム１０を使って聞きやすい音量に設定する。
【００２４】
このように準備が整うと、町へ出て歩行者に道を譲ってもらいたいときに、オン・オフスイッチ９をオン側にセットする。すると、再生手段が作動してメモリ手段に記憶させた前記音声メッセージを読み出してスピーカー６から出力する。例えば、「ピーン、ポーン、ピーン、ポーン」または、「ピピーン、ボボーン  ピピーン、ボボーン」などの警報音に続いて、「すみませんが・・・チョットお通し下さい」といったものである。このとき、同時に発光手段８が点灯する。
【００２５】
そのため、歩行者は、音声メッセージによって気がつくと同時に、発光手段８の点灯を視認して方向や位置を確認し、特定することができるので容易に避けることができる。
【００２６】
また、このとき、このようにマナーに沿った言葉をかけることができるので、歩行者に気持ち良く好感をもって道を譲ってもらえる。
【００２７】
一方、この形態のようにケースを小鳥の形状とすれば、乗り物や介助器具に付けていてもアクセサリーとして見なせるので警報装置としての違和感も生じない。
【図面の簡単な説明】
【００２８】
【図１】実施形態の一部切欠側面図
【図２】（ａ）実施形態の縦断面図、（ｂ）実施形態の横断面図
【符号の説明】
【００２９】
１  ケース
２  取り付け手段
６  スピーカー
８  発光手段
９  オン・オフスイッチ
１０  ボリューム
【図１】
0003112504.tif 000003
【図２】
0003112504.tif 000004